(57)【要約】      （修正有）【課題】使用者が手で電子機器を持たなくても安定した電子機器の保持が可能で、電子機器のカメラを使用者の所望の方向に向けて撮影できる電子機器保持具を提供する。【解決手段】電子機器保持具１０は、円形の挿入孔１２５を有する板状の２つの支持部１２０と、板状部材に平行に形成された複数の折り目２４０によって多角形筒状に変形可能であり、当該多角形筒状に変形した場合に一側面にカメラ付き電子機器３００を保持する電子機器保持部２００を具備する。電子機器保持部２００は、多角形筒状に変形した状態で、２つの支持部１２０のそれぞれが有する挿入孔１２５に挿入された後、多角形筒状の多角形の外接円の半径が挿入孔１２５の半径と同じかそれ以上になるようにさらに変形し、多角形筒状の側辺が挿入孔１２５の内側に当接することにより、支持部１２０に対して、挿入方向の軸（Ｙ軸）を中心に回転可能に支持される。【選択図】図８
0003233502.tif 000002
【実用新案登録請求の範囲】
【請求項１】
円形の挿入孔を有する板状の２つの支持部と、
板状部材に平行に形成された複数の折り目によって多角形筒状に変形可能であり、当該多角形筒状に変形した場合に一側面にカメラ付き電子機器を保持する電子機器保持部
を具備し、
前記電子機器保持部は、前記多角形筒状に変形した状態で、前記２つの支持部のそれぞれが有する前記挿入孔に挿入された後、前記多角形筒状の多角形の外接円の半径が前記挿入孔の半径と同じかそれ以上になるようにさらに変形し、前記多角形筒状の側辺が前記挿入孔の内側に当接することにより、前記支持部に対して、前記挿入方向の軸を中心に回転可能に支持される
電子機器保持具。
【請求項２】
請求項１に記載の電子機器保持具であって、
前記電子機器保持部が挿入された状態で前記２つの支持部が所定間隔をおいて対向するように当該２つの支持部を接続する接続部をさらに具備する
電子機器保持具。
【請求項３】
請求項１又は２に記載の電子機器保持具であって、
前記電子機器保持部は、前記挿入後にさらに変形した状態で前記挿入孔の内側に嵌合するスリットを有する
電子機器保持具。
【請求項４】
請求項１から３のいずれか１項に記載の電子機器保持具であって、
前記電子機器保持部は、透過性を有し、前記一側面を含む複数の側面に貼付され、前記変形前に当該一側面との間に前記電子機器を挿入可能であり、前記変形後に当該一側面との間で前記電子機器を挟持するフィルムをさらに具備する
電子機器保持具。
【請求項５】
請求項１から４のいずれか１項に記載の電子機器保持具であって、
前記電子機器保持部は、三角形筒状に変形した状態で前記挿入孔に挿入された後、さらに四角形筒状に変形することで前記挿入孔の内側に当接する
電子機器保持具。
【考案の詳細な説明】
【技術分野】
【０００１】
本考案は、スマートフォンなどの電子機器を保持するための電子機器保持具に関するものである。
【背景技術】
【０００２】
近時、携帯電話端末やスマートフォン（スマホ）、タッチパッドなどを含む小型の電子機器にはカメラ機能を備えるもの（以下、「カメラ付き電子機器」あるいは単に「電子機器」と呼ぶ）が多い。カメラ付き電子機器のカメラ機能を使用する際、電子機器を固定すると、手振れが生じにくい、撮影者が電子機器を持つ必要がなくなるといったメリットがある。従来は三脚を用いて電子機器を固定することが一般的であった。特許文献１には、撮影用のカメラレンズを備えた携帯電話端末用のカメラスタンドに関する技術が開示されている。特許文献２には携帯電話やデジタルカメラ用のアタッチメントに関する技術が開示されている。
【先行技術文献】
【特許文献】
【０００３】
【特許文献１】特開２０１７−０５８６４９号公報
【特許文献２】特開２００６−２０８８５７号公報
【考案の概要】
【考案が解決しようとする課題】
【０００４】
本考案は、使用者が手で電子機器を持たなくても安定した電子機器の保持が可能で、電子機器のカメラを使用者の所望の方向に向けて撮影することができる電子機器保持具を提供することを課題とする。
【課題を解決するための手段】
【０００５】
上記課題を解決する本考案の一形態は、
円形の挿入孔を有する板状の２つの支持部と、
板状部材に平行に形成された複数の折り目によって多角形筒状に変形可能であり、当該多角形筒状に変形した場合に一側面にカメラ付き電子機器を保持する電子機器保持部
を具備し、
前記電子機器保持部は、前記多角形筒状に変形した状態で、前記２つの支持部のそれぞれが有する前記挿入孔に挿入された後、前記多角形筒状の多角形の外接円の半径が前記挿入孔の半径と同じかそれ以上になるようにさらに変形し、前記多角形筒状の側辺が前記挿入孔の内側に当接することにより、前記支持部に対して、前記挿入方向の軸を中心に回転可能に支持される
電子機器保持具。
【０００６】
電子機器保持部が間隔を持って対向するように配置される２つの支持部に対して支持されることにより、使用者が手で電子機器を持たなくても安定した電子機器の保持が可能になる。また、電子機器保持部が挿入孔に挿入された状態で変形することにより回転可能に支持されるので、電子機器のカメラを使用者の所望の方向に向けて撮影することができる。これは例えば、電子機器を用いたオンライン授業やミーティングにおいて、ユーザが発話する自身の顔を撮影したり、相手に見せる手元の教材や資料を撮影したり等、適宜撮影対象を変更する必要がある場合に特に有効である。
【０００７】
上記電子機器保持具においては、
前記電子機器保持部が挿入された状態で前記２つの支持部が所定間隔をおいて対向するように当該２つの支持部を接続する接続部をさらに具備してもよい。
【０００８】
２つの支持部が所定間隔を置いて対向することにより、電子機器の安定した保持が可能になる。さらに接続部を有することにより、机の上等に載置された２つの支持部を安定して支えることができる。
【０００９】
上記電子機器保持具においては、
前記電子機器保持部は、前記挿入後にさらに変形した状態で前記挿入孔の内側に嵌合するスリットを有してもよい。
【００１０】
スリットと挿入孔の縁の部分の嵌合によりこれらの間に摩擦が生じ、これにより、電子機器のカメラの撮影方向を所望の方向に向けた状態を安定的に維持することができる。
【００１１】
上記電子機器保持具においては、
前記電子機器保持部は、透過性を有し、前記一側面を含む複数の側面に貼付され、前記変形前に当該一側面との間に前記電子機器を挿入可能であり、前記変形後に当該一側面との間で前記電子機器を挟持するフィルムをさらに具備してもよい。
【００１２】
フィルムは電子機器保持部の多角形筒状への変形に応じて同様に変形し、さらに電子機器保持部の一側面（外側）に貼付されているため、フィルムが引き延ばされることによる張力が発生し、この張力により電子機器の安定的な保持が可能になる。
【００１３】
上記電子機器保持具においては、
前記電子機器保持部は、三角形筒状に変形した状態で前記挿入孔に挿入された後、さらに四角形筒状に変形することで前記挿入孔の内側に当接してもよい。
【００１４】
この場合、挿入孔に挿入される際に三角形筒状の形状であるため、使用者が持ちやすくなる。
【考案の効果】
【００１５】
本考案によれば、使用者が手で電子機器を持たなくても安定した電子機器の保持が可能で、電子機器のカメラを使用者の所望の方向に向けて撮影することができる電子機器保持具を提供することができる。
【図面の簡単な説明】
【００１６】
【図１】本実施形態に係る電子機器保持具の外観を示す図である。
【図２】本実施形態に係る電子機器保持具の外観を示す図である。
【図３】本実施形態に係る支持部材の変形前の展開図である。
【図４】本実施形態に係る電子機器保持部の変形前の展開図である。
【図５】本実施形態に係る電子機器保持具の組み立て途中の外観を示す図である。
【図６】本実施形態に係る電子機器保持具の組み立て途中の外観を示す図である。
【図７】本実施形態に係る電子機器保持部の支持のための変形の説明図である。
【図８】本実施形態に係る電子機器保持具の外観を示す図である。
【図９】本実施形態に係る電子機器保持具の外観を示す図である。
【図１０】別の実施形態に係る電子機器保持部の変形前の展開図である。
【考案を実施するための形態】
【００１７】
以下、図面を参照しながら、本考案の実施形態を説明する。以下の実施形態は、本考案の好適な具体例であって、種々の好ましい技術を開示しているが、本考案の技術範囲はこれらの態様に限定されるものではない。なお、図面の中には、説明の便宜のため、互いに直交する三軸であるＸ軸Ｙ軸Ｚ軸が示されている。
【００１８】
（構成）
図１と図２に本実施形態に係る電子機器保持具（電子機器保持具１０）の外観を示す。図１と図２に示すように、電子機器保持具１０は、支持部材１００と、電子機器保持部２００を具備する。電子機器保持部２００は、支持部材１００に対して、Ｙ軸を中心に回転可能である。図２は、図１の状態から電子機器保持部２００をＹ軸中心に４５°回転させた状態を示している。
【００１９】
支持部材１００は、板状の２つの支持部１２０と、これらを接続する板状の接続部１１０と、複数の折り目１４０を具備する。２つの支持部１２０は、それぞれ、円形の挿入孔１２５を有する。支持部材１００を構成する部材の材質について特に限定はないが、本実施形態では、支持部材１００全体を１枚の板紙（例えば、ダンボール）で作製する。支持部材１００は、使用者などにより、当該板紙が折り曲げられて変形することにより作製される。
【００２０】
図３に、本実施形態に係る支持部材１０の変形前の展開図を示す。図３に示されるように、変形前の１枚の板状の支持部材１００は、平行に形成された２本の折り目１４０で同一方向に折り曲げられ、「コ」の字型に変形される。変形後に折り目１４０は、支持部１２０と接続部１１０を接続する辺になる。
【００２１】
再び図１と図２を参照する。
電子機器保持部２００は、複数のスリット２１０と、複数の折り目２４０を有する。電子機器保持部２００は、多角形筒状の形状を持つ。ここで「多角形筒状」は、上面と底面を欠く中空の多角柱様の形状をいうものとする。電子器保持部２００を構成する部材の材質については支持部材１００同様に特に限定はないが、本実施形態では、やはり支持部材１００と同様に、全体を１枚の板紙（例えば、ダンボール）で作製する。電子機器保持部２００は、使用者などにより、当該板紙が折り曲げられて変形することにより作製される。
【００２２】
図４に、本実施形態に係る電子機器保持部の変形前の展開図を示す。図４に示されるように、変形前の１枚の板状の電子機器保持部２００は、複数の平行に形成された折り目２４０を有する。折り目２４０の本数に限定はないが、本実施形態では、折り目２４０は３本とし、すべての折り目２４０で山折りにすることにより、電子機器保持部２００は四角形筒状に変形する。折り目２４０は４本としてもよく、この場合、電子機器保持部２００は五角形筒状に変形する。
【００２３】
複数のスリット２１０は、電子機器保持部２００が多角形筒状に変形した際の側辺をまたぐように、電子機器保持部２００に開けられた切れ込みである。本実施形態では、１本の折り目２４０につき２か所ずつ、合計で６か所、６つのスリット２１０を有する。また、折り目２４０に平行な電子機器保持部２００の対向する２本の辺にも４か所、４つのスリット２１０を有する。これらのスリットは、電子機器保持部２００の変形及び挿入後、挿入孔１２５と挿入孔１３５の内側の縁に嵌合するものである。
【００２４】
１本の折り目２４０（あるいは電子機器保持部２００の１辺）につき２か所設けられるスリット２１０同士の間隔は、支持部材１００の接続部１１０のＹ軸方向の長さと同じになるように構成される。これにより、電子機器保持具１０の組み立て時に、挿入孔１２５と挿入孔１３５の内側の縁が各スリット２１０に適切に嵌合する。
【００２５】
電子機器保持部２００は、多角形筒状に変形した場合に、一側面にカメラ付き電子機器３００を保持する。電子機器３００の保持については、電子機器保持具１０の使用方法について説明する際に後述する。
【００２６】
（組み立て）
以上に構成を説明した電子機器保持具１０の組み立てについて、以下に説明する。
【００２７】
支持部材１０の組み立てについては、図３を参照しながら述べたように、折り目１４０で支持部材１０を折り、２つの支持部１２０が間隔を持って対向するように配置するように、「コ」の字型に、組み立てる。
【００２８】
電子機器保持部２００の組み立てについては、図４を参照しながら述べたように、折り目２４０で電子機器保持部２００を折り、多角形筒状に変形させる。本実施形態では、このとき、側面の１つが別の側面の１つに重なるように折る。具体的には、図４中、符号ｓ１で示した端辺を、符号ｓ４で示した折り目２０４に重なるように折る。こうすると、側面の１つが別の側面の１つに重なった三角形筒状の電子機器保持部２００が得られる。
【００２９】
次に、三角形筒状に変形させた電子機器保持部２００を、組み立てて机の上などに置いた支持部材１０の２つの挿入孔１２０に挿入する。具体的には、電子機器保持部２００を、支持部１３０に空いた挿入孔１３５に差し入れ、Ｙ軸の負の方向に向かって押し込み、支持部１２０に空いた挿入孔１２５から電子機器保持部２００の挿入したほうとは逆側の端部を出す。図５と図６に、挿入途中の外観を示す。
【００３０】
次に、三角形筒状に変形させた電子機器保持部２００を、さらに、四角形筒状に変形させる。このとき、挿入孔１２０の内側の縁が、電子機器保持部２００の持つスリット２１０に嵌合するように位置決めした状態で、電子機器保持部２００を四角形筒状に変形させる。この変形（以下、「（電子機器保持部２００の）支持のための変形」と呼ぶことがある）について、図７を参照しながら説明する。
【００３１】
図７は、電子機器保持部２００の支持のための変形の説明図であり、挿入孔１２５と挿入済みの電子機器保持部２００をＹ軸に平行に見た略図である。図７において、支持のための変形前の電子機器保持部２００の底面２００−１が三角形で示されている。底面２００−１の多角形（三角形）の外接円（本考案に直接関係ないので図示していない）は、その半径が、挿入孔１２５の半径Ｒ−１よりも小さい。
【００３２】
図７において、支持のための変形後の電子機器保持部２００の底面２００−２が四角形で示されている。本実施形態では、底面２００−２の多角形の外接円（図中破線で示されている）の半径Ｒ−２が、挿入孔１２５の半径Ｒ−１と同じかそれ以上になるように、電子機器保持部２００が変形される。
【００３３】
具体的には、図５、図６に示すような三角形筒状から、図１、図２に示すような四角形筒状へと変形し、多角形の外接円の半径Ｒ−２を、挿入孔１２５の半径Ｒ−１よりも大きくする。この場合、図４の展開図において、符号ｓ４で示した折り目２０４に、符号ｓ１で示した端辺を重ねて三角形筒を形成しているところ、符号ｓ１で示した端辺を符号ｓ５で示した端辺に重なるようにして四角形筒を形成するように、電子機器保持部２００を変形させる。
【００３４】
図７の半径Ｒ−２は、スリット２１０に挿入孔１２５の縁が嵌合する深さの分だけ、半径Ｒ−１を超えて大きくすることができる。なお、スリット２１０を設けない場合は、半径Ｒ−２が半径Ｒ−１と同じになるように、電子機器保持部２００を変形させて、多角形筒状の側辺を形成する折り目２４０を挿入孔１２５の内側に当接させる。スリット２１０を設ける場合でも、多角形筒状の側辺を形成する折り目２４０が挿入孔１２５の内側に当接し、さらにスリット２１０の部分だけ挿入孔１２５の外側へ入り込む。
【００３５】
以上のように組み立てたところ、電子機器保持部２００は、多角形筒状の多角形の外接円の半径が挿入孔１２５の半径と同じかそれ以上になるように、挿入孔１２５に挿入させるときの形状からさらに変形する。また、上記多角形筒状の側辺が挿入孔１２５の内側に当接する。
【００３６】
（使用方法）
以上に構成と組み立て方を説明した電子機器保持具１０の使用方法について、以下に説明する。
【００３７】
まず、使用者は、カメラ付き電子機器３００を、電子機器保持部２００の多角形筒状の一側面に取り付ける。図８と図９は、組み立て後の電子機器保持具１０を示す。図８では、電子機器３００のカメラの撮影方向は、Ｚ軸の符号が正の、方向Ｄ１を向いている。図８に示す状態は、使用者が自分の顔を映すのに適している。この状態から、例えば、使用者が手元を映したい場合、使用者は電子機器保持部２００をＹ軸中心に回転させ、電子機器３００のカメラの撮影方向を下に向ける。すると、図９に示すように、電子機器３００のカメラの撮影方向は、Ｚ軸の符号が負である、方向Ｄ２を向く。
【００３８】
例えば、オンライン授業を講義する先生が、生徒たちに向けて自分の顔を映したいときは、図８に示すように電子機器３００をＤ１の方向に向け、手元のハンドアウトを映したいときは、電子機器保持部２００を回転させて、図９に示すように電子機器３００をＤ２の方向に向ける。本実施形態に係る電子機器保持具１０によれば、電子機器３００を所望の方向に向けて保持することができ、使用者が手で電子機器３００を保持する必要がなくなり、非常に便利である。
【００３９】
（別の実施形態）
以上に述べた実施形態においては、電子機器保持部２００による電子機器３００の保持の態様については特に限定していない。具体的な保持の態様については、例えば、両面テープで貼り付けてもよい。あるいは、電子機器３００を電子機器保持部２００に取り付ける専用の治具を用いてもよいし、リボン等で縛って保持してもよい。
【００４０】
電子機器保持部２００による電子機器３００の保持の態様に関し、上記実施形態の変形実施形態では、図１０に示すように、電子機器保持部２００の表面に貼り付けたフィルム２６０と電子機器保持部２００の間に電子機器３００を挟み込み保持する。
【００４１】
図１０は、図３と同じく、電子機器保持部２００の多角形筒状への変形前の展開図である。本変形実施形態においては、フィルム２６０が、スリット２１０同士の間隔より少し狭いくらいの幅で電子機器保持部２００に貼着される。フィルム２６０は透過性を有し、薄く、柔軟性を持つ素材で構成される。
【００４２】
フィルム２６０の貼られる面は、電子機器保持部２００が多角形筒状に変形した際に外側になる面である。フィルム２６０は、平行な折り目２４０の線の方向に直交する方向の両端部の貼着部２６２（２か所）で糊付けされて貼着される。したがって、フィルム２６０の側方は貼着されておらず、ここから使用者は電子機器３００を容易に差し入れることができる。使用者は、電子機器３００を取付部位２５０に差し入れる。
【００４３】
フィルム２６０は電子機器保持部２００の多角形筒状への変形に合わせて、折られる。フィルム２６０は電子機器保持部２００の外側に貼付されているため、フィルム２６０は引き延ばされ、また、電子機器３００の厚みの分だけさらに引き延ばされる。これによりフィルム２６０には張力が発生し、当該張力により電子機器３００の安定的な保持が可能になる。本変形実施形態によれば、電子機器３００の安定的な保持が可能になる。
【００４４】
（効果）
以下、実施形態の効果をまとめて述べる。
【００４５】
以上に述べた実施形態によると、電子機器保持部２００が、間隔を持って対向するように配置される２つの支持部１２０，１３０に対して支持されることにより、使用者が手で電子機器を持たなくても安定した電子機器の保持が可能になる。また、電子機器保持部２００が挿入孔１２５，１３５に挿入された状態で変形することにより回転可能に支持されるので、電子機器のカメラを使用者の所望の方向に向けて撮影することができる。これは例えば、電子機器を用いたオンライン授業やミーティングにおいて、ユーザが発話する自身の顔を撮影したり、相手に見せる手元の教材や資料を撮影したり等、適宜撮影対象を変更する必要がある場合に特に有効である。
【００４６】
本実施形態では、接続部１１０により、電子機器保持部２００が挿入された状態で支持部１２０と支持部１３０が所定間隔（つまり接続部１１０のＹ軸方向の長さ）をおいて対向するように当該支持部１２０と支持部１３０を接続する。これにより、支持部１２０と支持部１３０が所定間隔を置いて対向することにより、電子機器３００の安定した保持が可能になる。さらに接続部１１０を有することにより、机の上等に載置された支持部１２０と支持部１３０が安定して支えられるようになる。
【００４７】
また、スリット２１０と挿入孔１２５，１３５の縁の部分の嵌合によりこれらの間に摩擦が生じ、これにより、電子機器のカメラの撮影方向を所望の方向に向けた状態を安定的に維持することができる。また、電子機器保持部２００は挿入孔１２５，１３５に挿入される際に三角形筒状の形状であるため、使用者が持ちやすい。
【００４８】
また、上記実施形態の別の一例によれば、フィルム２６０は電子機器保持部２００の多角形筒状への変形に応じて同様に変形し、さらに電子機器保持部２００の一側面（外側）に貼付されているため、フィルム２６０が引き延ばされることによる張力が発生し、この張力により電子機器の安定的な保持が可能になる。
【００４９】
上記実施形態では、一例として、支持部材１００と電子機器保持部２００をそれぞれ、１枚の板紙（ダンボール等）で構成している。したがって、それぞれを変形する前の電子機器保持具１０は、わずかに２枚の板紙からなり、非常に薄く、軽くすることができる。本考案により提供される電子機器保持具１０は、例えば手軽に郵送も可能であり、表面へのカラフルな印刷や多種多様な印刷も容易である。
【００５０】
本考案は、請求の範囲および明細書全体から読み取ることのできる考案の要旨または思想に反しない範囲で適宜変更可能であり、そのような変更を伴う電子機器保持具もまた本考案の技術思想に含まれる。
【符号の説明】
【００５１】
１０……電子機器保持具
１００…支持部材
１１０…接続部
１２０…支持部
１２５…挿入孔
１４０…折り目
２００…電子機器保持部
２００−１…底面（多角形筒状の多角形）
２００−２…底面（多角形筒状の多角形）
２１０…スリット
２４０…折り目
２５０…取付部位
２６０…フィルム
２６２…貼着部
３００…（カメラ付き）電子機器
Ｒ−１…（挿入孔の）半径
Ｒ−２…（多角形筒状の多角形の外接円の）半径
Ｄ１…方向
Ｄ２…方向
【図１】
0003233502.tif 000003
【図２】
0003233502.tif 000004
【図３】
0003233502.tif 000005
【図４】
0003233502.tif 000006
【図５】
0003233502.tif 000007
【図６】
0003233502.tif 000008
【図７】
0003233502.tif 000009
【図８】
0003233502.tif 000010
【図９】
0003233502.tif 000011
【図１０】
0003233502.tif 000012